(57)【要約】【課題】高精度に通信品質の劣化状態を検出し、適切なタイミングでハンドオーバを実行する端末局を得ること。【解決手段】本発明にかかる端末局は、所定期間にわたって上りデータを送信しなかった場合に、接続中の基地局に対してダミーデータを送信し、その結果発生する上り品質情報を収集するダミーパケット送受信部（１５）と、収集された情報に基づいて、ハンドオーバを実行するかどうかを判定するハンドオーバ判定部（１６）と、を備える。【選択図】        図１
2009260635.tif 000002
【特許請求の範囲】
【請求項１】
基地局とともに無線通信システムを構成する端末局であって、
所定期間にわたって上りデータを送信しなかった場合に、接続中の基地局に対してダミーデータを送信し、その結果発生する上り品質情報を収集する上り品質情報収集手段と、
前記上り品質情報収集手段により収集された上り品質情報に基づいて、ハンドオーバを実行するかどうかを判定するハンドオーバ判定手段と、
を備えることを特徴とする端末局。
【請求項２】
前記ハンドオーバ判定手段は、ハンドオーバを実行するかどうかの判定処理を一定周期ごとに実行し、
前記上り品質情報収集手段は、前記一定周期にわたって接続中の基地局へ上りデータを送信しなかった場合に、当該接続中の基地局に対してダミーデータを送信することを特徴とする請求項１に記載の端末局。
【請求項３】
前記上り品質情報収集手段は、前記ハンドオーバ判定手段による判定結果が「ハンドオーバを実行しない」ことを示しかつ前記一定周期にわたって接続中の基地局へ上りデータを送信しなかった場合に、当該接続中の基地局に対してダミーデータを送信することを特徴とする請求項２に記載の端末局。
【請求項４】
基地局とともに無線通信システムを構成する端末局であって、
接続中の基地局に対して一定周期ごとにダミーデータを送信し、その結果発生する上り品質情報を収集する上り品質情報収集手段と、
前記上り品質情報収集手段により収集された情報に基づいて、ハンドオーバを実行するかどうかを判定するハンドオーバ判定手段と、
を備えることを特徴とする端末局。
【請求項５】
前記上り品質情報収集手段は、前記接続中の基地局である第１の基地局に加え、自身が送信した信号を受信可能な当該第１の基地局とは異なる第２の基地局に対してダミーデータを送信し、その結果発生する上り品質情報を収集することを特徴とする請求項１〜４のいずれか一つに記載の端末局。
【請求項６】
前記上り品質情報は、ダミーデータの再送回数、ダミーデータに対する応答信号の受信電力およびダミーデータを送信した際の伝送レート情報を含むことを特徴とする請求項１〜５のいずれか一つに記載の端末局。
【請求項７】
端末局とともに無線通信システムを構成する基地局であって、
所定期間にわたって下りデータを送信しなかった場合に、接続中の端末局に対してダミーデータを送信し、その結果発生する下り品質情報を収集する下り品質情報収集手段と、
前記下り品質情報収集手段により収集された下り品質情報を前記接続中の端末局がハンドオーバの実行判定処理で使用する情報として前記接続中の端末局へ通知する情報通知手段と、
を備えることを特徴とする基地局。
【請求項８】
端末局とともに無線通信システムを構成する基地局であって、
接続中の端末局に対して一定周期ごとにダミーデータを送信し、その結果発生する下り品質情報を収集する下り品質情報収集手段と、
前記下り品質情報収集手段により収集された情報を前記接続中の端末局がハンドオーバの実行判定処理で使用する情報として前記接続中の端末局へ通知する情報通知手段と、
を備えることを特徴とする基地局。
【請求項９】
さらに、
自身が送信した信号を受信可能な端末局であって他の基地局と接続中の端末局である非接続状態端末局と当該他の基地局との間のデータ送受信動作を監視する周辺監視手段、
を備え、
前記下り品質情報収集手段は、さらに、
前記周辺監視手段が非接続状態端末局と他の基地局との間でデータの送受信が行われたことを検出した場合、当該データ送受信を行った非接続状態端末局に対してダミーデータを送信し、その結果発生する下り品質情報を収集し、
前記情報通知手段は、さらに、
前記下り品質情報収集手段が前記非接続状態端末局に対してダミーデータを送信し、前記情報を収集した場合、当該下り品質情報収集手段により収集された情報を当該非接続状態端末局がハンドオーバの実行判定処理で使用する情報として当該非接続状態端末局へ通知することを特徴とする請求項７または８に記載の基地局。
【請求項１０】
前記下り品質情報は、ダミーデータの再送回数、ダミーデータに対する応答信号の受信電力およびダミーデータを送信した際の伝送レート情報を含むことを特徴とする請求項７、８または９に記載の基地局。
【請求項１１】
請求項１〜６のいずれか一つに記載の端末局と、
請求項７〜１０のいずれか一つに記載の基地局と、
を備えることを特徴とする無線通信システム。
【請求項１２】
基地局とともに無線通信システムを構成する端末局がハンドオーバを実行するかどうかを判定する場合の通信制御方法であって、
上りデータの送信を行ったかどうかを所定期間にわたって監視する上り動作監視ステップと、
前記上り動作監視ステップにおける監視結果が「所定期間内に上りデータ送信が行われなかった」ことを示す場合、接続中の基地局に対してダミーデータを送信し、その結果発生する上り品質を収集する上り品質情報収集ステップと、
前記上り品質情報収集ステップにおいて収集した情報に基づいて、ハンドオーバを実行するかどうかを判定するハンドオーバ実行判定ステップと、
を含むことを特徴とする通信制御方法。
【請求項１３】
前記ハンドオーバ実行判定ステップを一定周期ごとに実行する場合、
前記上り動作監視ステップでは、上りデータ送信を行ったかどうかを前記一定周期にわたって監視することを特徴とする請求項１２に記載の通信制御方法。
【請求項１４】
前記上り品質情報収集ステップでは、前記ハンドオーバ実行判定ステップにおける前回の判定結果が「ハンドオーバを実行しない」ことを示しかつ前記上り動作監視ステップにおける監視結果が「所定期間内に上りデータ送信が行われなかった」ことを示す場合に、前記接続中の基地局に対してダミーデータを送信することを特徴とする請求項１３に記載の通信制御方法。
【請求項１５】
基地局とともに無線通信システムを構成する端末局がハンドオーバを実行するかどうかを判定する場合の通信制御方法であって、
接続中の基地局に対して一定周期ごとにダミーデータを送信し、その結果発生する上り品質を収集する上り品質情報収集ステップと、
前記上り品質情報収集ステップにおいて収集した情報に基づいて、ハンドオーバを実行するかどうかを判定するハンドオーバ実行判定ステップと、
を含むことを特徴とする通信制御方法。
【請求項１６】
前記上り品質情報収集ステップでは、前記接続中の基地局である第１の基地局に加え、自身が送信した信号を受信可能な当該第１の基地局とは異なる第２の基地局に対してダミーデータを送信し、その結果発生する上り品質情報を収集することを特徴とする請求項１２〜１５のいずれか一つに記載の通信制御方法。
【請求項１７】
前記上り品質情報は、ダミーデータの再送回数、ダミーデータに対する応答信号の受信電力およびダミーデータを送信した際の伝送レート情報を含むことを特徴とする請求項１２〜１６のいずれか一つに記載の通信制御方法。
【請求項１８】
端末局とともに無線通信システムを構成する基地局が当該端末局に対してハンドオーバの実行判定処理で利用する情報を通知する場合の通信制御方法であって、
下りデータの送信を行ったかどうかを所定期間にわたって監視する下り動作監視ステップと、
前記下り動作監視ステップにおける監視結果が「所定期間内に下りデータ送信が行われなかった」ことを示す場合、接続中の端末局に対してダミーデータを送信し、その結果発生する下り品質情報収集ステップと、
前記下り品質情報収集ステップにおいて収集した情報を前記接続中の端末局がハンドオーバの実行判定処理で使用する情報として当該接続中の端末局へ通知する情報通知ステップと、
を含むことを特徴とする通信制御方法。
【請求項１９】
端末局とともに無線通信システムを構成する基地局が当該端末局に対してハンドオーバの実行判定処理で利用する情報を通知する場合の通信制御方法であって、
接続中の端末局に対して一定周期ごとにダミーデータを送信し、その結果発生する下り品質情報を収集する下り品質情報収集ステップと、
前記下り品質情報収集ステップにおいて収集した情報を前記接続中の端末局がハンドオーバの実行判定処理で使用する情報として当該接続中の端末局へ通知する情報通知ステップと、
を含むことを特徴とする通信制御方法。
【請求項２０】
さらに、
自局より送信した信号を受信可能な端末局であって他の基地局と接続中の端末局である非接続状態端末局と当該他の基地局との間のデータ送受信動作を監視する周辺監視ステップと、
前記周辺監視ステップにおいて非接続状態端末局と他の基地局との間でデータの送受信が行われたことを検出した場合、当該データ送受信を行った非接続状態端末局に対してダミーデータを送信し、その結果発生する下り品質ダミーデータの再送回数、ダミーデータに対する応答信号の受信電力およびダミーデータを送信した際の伝送レート、についての情報を収集する周辺端末下り品質情報収集ステップと、
前記周辺端末下り品質情報収集ステップにおいて収集した情報を前記非接続状態端末局がハンドオーバの実行判定処理で使用する情報として当該非接続状態端末局へ通知する周辺端末下り品質情報通知ステップと、
を含むことを特徴とする請求項１８または１９に記載の通信制御方法。
【請求項２１】
前記下り品質情報は、ダミーデータの再送回数、ダミーデータに対する応答信号の受信電力およびダミーデータを送信した際の伝送レート情報を含むことを特徴とする請求項１８、１９または２０に記載の通信制御方法。
【発明の詳細な説明】
【技術分野】
【０００１】
本発明は、移動体通信システムを構成し、必要に応じてハンドオーバを実行する端末局および端末局の接続先となる基地局に関する。
【背景技術】
【０００２】
近年、無線ＬＡＮ技術を高速移動体向けに適用する検討が盛んに行われている。特に、移動局が移動した場合に通信が途切れることなく高速かつ正確にハンドオーバを実行するための技術が重要視されている。
【０００３】
例えば下記特許文献１では、無線移動局が無線基地局からの下り通信品質の状態に応じて無線制御データを再送することにより呼切断が発生するのを防止する無線通信制御方法が開示されている。具体的には、下り通信品質の劣化を検出した場合、再送回数、再送間隔および再送信号の送信電力についてのパラメータを調整して再送制御を行うことにより呼切断の発生を防止している。
【０００４】
また、下記特許文献２では、効率的な無線通信を実現するハンドオーバ方法が開示されている。具体的には、端末局（移動局）は、ハンドオーバを実行する場合、接続中の基地局（旧基地局）に対する接続解除要求信号の再送回数を通常よりも少ない回数に設定することにより、ハンドオーバ先の基地局を検出してから接続処理を開始するまでの時間を短縮し、ハンドオーバ時のデータ瞬断時間の短縮化を実現している。
【０００５】
【特許文献１】特開２００３−３１８８０４号公報
【特許文献２】特開２００５−３２３０３４号公報
【発明の開示】
【発明が解決しようとする課題】
【０００６】
しかしながら、上述した上記特許文献１および２に記載の技術では、移動局は、基地局から送信された下り信号の受信電力のみに基づいて、再接続処理やハンドオーバ処理の開始を判定している。そのため、基地局の通信エリア内でも下り信号の受信電力が変動し、電力の落ち込みが発生した場合、基地局の通信エリア内にも関わらず通信品質が劣化し、ハンドオーバ処理等が必要であると誤判定してしまう可能性がある、という問題があった。
【０００７】
本発明は、上記に鑑みてなされたものであって、従来よりも高精度に通信品質の劣化状態を検出し、適切なタイミングでのハンドオーバ処理の開始を実現する端末局、基地局、無線通信システムおよび通信制御方法を得ることを目的とする。
【課題を解決するための手段】
【０００８】
上述した課題を解決し、目的を達成するために、本発明は、基地局とともに無線通信システムを構成する端末局であって、所定期間にわたって上りデータを送信しなかった場合に、接続中の基地局に対してダミーデータを送信し、その結果発生する上り品質情報を収集する上り品質情報収集手段と、前記上り品質情報収集手段により収集された上り品質情報に基づいて、ハンドオーバを実行するかどうかを判定するハンドオーバ判定手段と、を備えることを特徴とする。
【発明の効果】
【０００９】
この発明によれば、端末局は、所定期間にわたって上りデータを送信しなかった場合、ダミーデータを送信し、その結果得られる上り品質情報に基づいてハンドオーバを実行するかどうかを判定することとしたので、従来の下り信号の受信電力のみに基づいてハンドオーバの実行判定を行う場合と比較して、誤ってハンドオーバを実行してしまう確率を低減でき、効率的な無線通信を実現できる、という効果を奏する。
【発明を実施するための最良の形態】
【００１０】
以下に、本発明にかかる端末局、基地局、無線通信システムおよび通信制御方法の実施の形態を図面に基づいて詳細に説明する。なお、この実施の形態によりこの発明が限定されるものではない。
【００１１】
実施の形態１．
図１は、本発明にかかる端末局の実施の形態１の構成例を示す図である。図１に示した端末局１は、アンテナ１１、ＲＦ部１２、ベースバンド部１３、ＭＡＣ部１４、ダミーパケット送受信部１５、ハンドオーバ判定部１６および有線Ｉ／Ｆ部１７を備える。なお、端末局１は、無線通信システムの基地局に接続し、当該基地局が接続された外部ネットワークと通信する機能および接続先の基地局を切り替える機能（ハンドオーバ機能）を有する。
【００１２】
ＲＦ部１２は、アンテナ１１を介して入力された受信信号やベースバンド部１３から入力された信号に対して周波数変換などを行う。ベースバンド部１３は、ＲＦ部１２から入力された受信信号およびＭＡＣ部１４から入力された送信信号に対してベースバンド処理を実行する。ＭＡＣ部１４は、ＭＡＣ層の処理を行う。ダミーパケット送受信部１５は、ダミーパケットの送受信処理を行う。ハンドオーバ判定部１６は、ＭＡＣ部１４やダミーパケット送受信部１５から取得した情報に基づいてハンドオーバを実行するかどうかの判定を行う。有線Ｉ／Ｆ部１７は、ノートＰＣなど、端末局１を利用してデータの送受信を行う機器を接続するためのインタフェイスである。
【００１３】
つづいて、本実施の形態の端末局１がハンドオーバを実行し、接続先の基地局を切り替える動作について、図２および図３を参照しながら説明する。図２は、本実施の形態の端末局１と基地局との間の通信制御シーケンスの一例を示す図である。なお、図２は、端末局１が、現在接続中の基地局（図示したハンドオーバ元基地局）からのビーコン（Beacon）信号に加え、ハンドオーバ先基地局からのビーコン信号も受信可能な場合の例を示している。また、図３は、端末局１の各部の動作を説明するための図であり、図１に示した構成図に対して端末局１の特徴的な処理を書き加えたものである。
【００１４】
図２に示したように、本実施の形態の端末局１は、ハンドオーバ元基地局およびハンドオーバ先基地局から定期的に送信されるビーコン信号（以下、単にビーコンと記載する）を受信する。そしてビーコンを受信した場合、その無線品質情報を収集する。ここで、無線品質情報とは、たとえば、ビーコンの受信電力情報、ビーコンに含まれる伝送レート情報（ビーコンの送信元基地局がサポートしている伝送レートの情報）などである。また、この無線品質情報（以下、下り無線品質情報と呼ぶ）は、ＭＡＣ部１４により収集され、ハンドオーバ判定部１６に渡される。ハンドオーバ判定部１６は、ハンドオーバを実行するかどうかの判定処理でこの下り無線品質情報を利用する。なお、たとえば、ＲＦ部１２が受信電力を測定し、ＭＡＣ部１４が伝送レートを抽出する。
【００１５】
端末局１は、上記ビーコン信号の受信処理に加え、有線Ｉ／Ｆ部１７に接続された機器から接続中の基地局（ハンドオーバ元基地局）に対して上りデータが送信されたかどうかを監視し、上りデータが送信されない状態が所定期間にわたって続いた場合、ダミーデータ（図２に示した上りダミーパケット）を接続中の基地局へ送信する。そして、当該基地局との間の上り方向の無線品質情報を収集する。
【００１６】
この動作を実現するための端末局１の各部の動作を具体的に示すと、ＭＡＣ部１４は上りデータを有線Ｉ／Ｆ部１７から受け取った場合、それを基地局に送信する処理を実行するとともに、上りデータ送信を行った旨をダミーパケット送受信部１５に通知する（図３に示した動作<11>）。上り品質情報収集手段としての機能を有するダミーパケット送受信部１５は、上りデータ送信監視周期が経過すると、当該周期が経過する前にＭＡＣ部１４から上りデータを送信した旨の通知を受けたかどうかを確認し、通知を受けた（上りデータが送信された）場合、何も行わずに処理を継続する。一方、通知を受けなかった（上りデータが送信されなかった）場合には、上りダミーパケットを送信し（図３に示した動作<12>）、上り方向の無線品質情報（以下、上り無線品質情報と呼ぶ）の収集処理を実行する（図３に示した動作<13>の前半部分）。ここで、上り無線品質情報とは、ダミーパケット送信時に使用した伝送レート、ダミーパケットの再送回数などである。また、ダミーパケットに対する応答信号であるＡＣＫパケットを受信した場合、その受信電力を上り無線品質情報に含める。取得した上り無線品質情報はハンドオーバ判定部１６に渡される。なお、ダミーパケットとして送信するパケットの種別は問わない（無線ＬＡＮのデータパケット、マネージメントパケット、管理パケットのいずれを送信してもよい）。たとえば、パケットの種別を「データ」に設定し、データ長を「０」としたデータパケットをダミーパケットとして送信する。
【００１７】
なお、端末局１は、上りデータを送信した場合、ダミーパケット送信時と同様に、上り無線品質情報を収集する。この場合、ＭＡＣ部１４が上り無線品質情報を収集し、それをハンドオーバ判定部１６に渡す。
【００１８】
また、ハンドオーバ判定部１６は、上記受け取った下り無線品質情報および上り無線品質情報に基づいて、ハンドオーバを実行するかどうかの判定（ハンドオーバ実行判定）を行う（図３に示した動作<13>の後半部分）。この判定は、たとえば、保持している下り無線品質情報および上り無線品質情報の詳細を一定周期毎に確認して、ハンドオーバ元基地局およびハンドオーバ先基地局からのビーコンの受信電力比較を行い、また、上りデータ（またはダミーパケット）の再送回数についてのしきい値判定または伝送レートを用いたしきい値判定を行い、さらに、受信電力比較結果およびしきい値判定結果の論理和をとることにより行う。なお、再送回数を用いたしきい値判定と伝送レートを用いたしきい値判定の両方を実行し、これらの判定結果と電力比較結果に基づいてハンドオーバを実行するかどうかを判定するようにしてもよい。下り無線品質情報および上り無線品質情報を確認してハンドオーバを実行するかどうかを判定する処理の実行周期は、図２に示した上りデータ監視周期よりも短い周期とする。
【００１９】
また、下り無線品質情報および上り無線品質情報の詳細を一定周期毎に確認し、ハンドオーバを実行するかどうかの判定を行うのではなく、上り無線品質が劣化したなどの特定イベント発生時に判定するようにしてもよい。一例を示すと、上り無線品質情報を取得した場合に伝送レートおよび再送回数を確認し、伝送レートの低下を検出（伝送レートがしきい値を下回ったことを検出）または再送回数の増加を検出（再送回数がしきい値を上回ったことを検出）した場合に下り無線品質情報を確認し、ハンドオーバを実行するかどうかの判定を行うようにする。また、再送発生をトリガとしてハンドオーバを実行するかどうかの判定を行うようにしてもよい。
【００２０】
ハンドオーバ判定部１６は、ハンドオーバを実行すると判定した場合、ＭＡＣ部１４を介してＲＦ部１２およびベースバンド部１３へハンドオーバの開始を指示し、指示を受けたＲＦ部１２、ベースバンド部１３およびＭＡＣ部１４は、所定のハンドオーバ処理を実行してハンドオーバ先基地局へ接続先を切り替える。
【００２１】
なお、端末局１は、たとえば、ダミーパケットの宛先として、予め規定しておいたアドレスを設定し、基地局は、ダミーパケットを示す宛先のパケットを受信した場合、受信パケット（＝ダミーパケット）の転送は行わずに廃棄する。
【００２２】
また、上記説明では、簡単化のためハンドオーバ先基地局（ハンドオーバ先の候補基地局）が１つの場合について説明したが、複数の候補基地局からビーコンを受信可能な場合には、各候補基地局からのビーコンを受信してそれぞれに対応する下り無線品質情報を収集する。そして、ハンドオーバを実行する場合には、これら複数の下り無線品質情報に基づいてハンドオーバ先基地局を選択する。ハンドオーバ先基地局を選択するにあたっては、上記特許文献２に記載された方法などを利用する。
【００２３】
このように、本実施の形態では、端末局は、上りデータを送信した場合、上り無線品質情報を収集し、また、所定期間にわたって上りデータを送信しなかった場合、言い換えれば所定期間にわたって上り無線品質情報が得られなかった場合、ダミーパケットを送信して上り無線品質情報を収集することとした。そして、ハンドオーバを実行するかどうかの判定処理では、従来の判定処理で利用していた情報であるビーコンを受信した際に取得する下り無線品質情報と、上記収集した上り無線品質情報と、に基づいて判定を行うこととした。これにより、ハンドオーバ実行判定における誤判定確率を低減させて、効率的な無線通信を実現できる。
【００２４】
実施の形態２．
つづいて、実施の形態２の端末局によるハンドオーバ制御動作について説明する。実施の形態１の端末局では、上りデータの監視周期とハンドオーバの監視周期（上述した、下り無線品質情報および上り無線品質情報の確認周期に相当）を独立した周期としていたが、次に、端末局がこれらを同じ周期で実行する実施の形態について説明する。なお、本実施の形態の端末局の構成は実施の形態１の端末局（図１参照）と同様である。以下の説明では、実施の形態１の端末局１と区別するために本実施の形態の端末局を「端末局１ａ」と記載する。
【００２５】
図４は、実施の形態２の端末局１ａと基地局との間の通信制御シーケンスの一例を示す図であり、実施の形態１のシーケンスを示した図２と同様に、端末局１ａが、現在接続中の基地局およびハンドオーバ先基地局からのビーコンを受信可能な場合を示している。また、図５は、本実施の形態の端末局１ａの各部の動作を説明するための図であり、実施の形態１の説明で用いた図３と同様に、構成図に対して端末局１ａの特徴的な処理を書き加えたものである。これらの図４および図５を参照しながら、端末局１ａがハンドオーバを実行し、接続先の基地局を切り替える動作を以下に説明する。なお、実施の形態１の端末局１と同じ動作については詳細な説明を省略する。
【００２６】
本実施の形態の端末局１ａでは、実施の形態１の端末局１と同様に、ビーコンを受信した場合はＭＡＣ部１４で下り無線品質情報を収集し、ハンドオーバ判定部１６でそれを保持しておく。
【００２７】
一方、端末局１ａでは、端末局１とは異なり、ハンドオーバ判定部１１が上りデータの送信状況を監視する。すなわち、ＭＡＣ部１４は、上りデータ送信を行った旨をハンドオーバ判定部１６に通知する（図５に示した動作<21>）。所定期間にわたって上りデータが送信されない場合、ハンドオーバ判定部１６は、ダミーパケットを送信するように、ダミーパケット送受信部１５に対して指示を出し（図５に示した動作<22>）、ダミーパケット送受信部１５は、ダミーパケットを送信して上り無線品質情報を取得する。そして、ダミーパケット送受信部１５は、取得した上り無線品質情報をハンドオーバ判定部１６へ渡す（図５に示した動作<24>）。
【００２８】
また、図２に示したように、端末局１ａのハンドオーバ判定部１６は、一定周期（図示したハンドオーバ監視周期）ごとに、保持している無線品質情報（上り無線品質情報および下り無線品質情報）を確認してハンドオーバの実行判定を行うとともに、上りデータが送信されたかどうかの判定処理を行う。そして、ハンドオーバを実行すると判定した場合、端末局１ａはハンドオーバを行う。ハンドオーバを実行するかどうかの判定方法は、実施の形態１の端末局１が使用するものと同様である。また、上りデータが送信されなかったと判定した場合、端末局１ａはダミーパケットを送信する。ダミーパケットの送信動作は上述したとおりである。
【００２９】
なお、ハンドオーバの実行条件とダミーパケットの送信条件が共に満たされている場合には、ダミーパケットを送信せずにハンドオーバを実行する。すなわち、ハンドオーバ判定部１６は、まずハンドオーバの実行判定を行い、ハンドオーバを実行しないと判定した場合、上りデータが送信されたかどうかを判定する。これにより、効率的に各判定処理を実行でき、ダミーパケットを不必要に送信してしまうことを防止できる。
【００３０】
このように、本実施の形態では、端末局は、ハンドオーバの実行判定を行う周期と上りデータの監視周期を同期させ、ハンドオーバの実行判定処理を実施後ダミーパケットの送信判定処理を実施することとした。そして、ダミーパケットの送信処理などを実行して収集した上り無線品質情報およびビーコン受信時に収集した下り無線品質情報を利用してハンドオーバを実行するかどうかの判定を行うこととした。これにより、実施の形態１で示した制御手順を採用した場合と同様の効果を得ることができる。また、監視周期の管理が簡単になり、さらに、ダミーパケットを不必要に送信してしまうことを防止できる。
【００３１】
実施の形態３．
つづいて、実施の形態３の端末局によるハンドオーバ制御動作について説明する。実施の形態１および２の端末局では、上りデータの監視結果に応じてダミーパケットを送信することにしていたが、次に、端末局が、上りデータの有無にかかわらず、一定周期ごとに必ずダミーパケットを送信する実施の形態について説明する。なお、本実施の形態の端末局の構成は実施の形態１の端末局（図１参照）と同様である。以下の説明では、上述した実施の形態の端末局と区別するために本実施の形態の端末局を「端末局１ｂ」と記載する。
【００３２】
図６は、本実施の形態の端末局１ｂの各部の動作を説明するための図であり、実施の形態１の説明で用いた図３と同様に、構成図に対して端末局１ｂの特徴的な処理を書き加えたものである。この図６を参照しながら、端末局１ｂがハンドオーバを実行し、接続先の基地局を切り替える動作を以下に説明する。なお、実施の形態１の端末局１と同じ動作については詳細な説明を省略する。
【００３３】
本実施の形態の端末局１ｂでは、実施の形態１の端末局１と同様に、実施の形態１の端末局１と同様に、ビーコンを受信した場合はＭＡＣ部１４で下り無線品質情報を収集し、ハンドオーバ判定部１６でそれを保持しておく。
【００３４】
一方、端末局１ｂは、端末局１や端末１ａとは異なり、上りデータの送信状況を監視しない。すなわち、ダミーパケット送受信部１５は、上りデータの有無に関係なく定期的にダミーパケットを送信して上り無線品質情報を取得する（図６に示した動作<31>）。そして、ダミーパケット送受信部１５は、取得した上り無線品質情報をハンドオーバ判定部１６へ渡す（図６に示した動作<32>）。
【００３５】
また、端末局１ｂは、上りデータを送信した場合、ダミーパケット送信時と同様に、上り無線品質情報を収集する。この場合、ＭＡＣ部１４が上り無線品質情報を収集し、それをハンドオーバ判定部１６に渡す。
【００３６】
また、ハンドオーバ判定部１６は、保持している無線品質情報（上り無線品質情報および下り無線品質情報）を利用してハンドオーバの実行判定を行う。このとき、上り無線品質情報として上りデータを送信した際に収集した情報とダミーパケットを送信した際に収集した情報の複数の上り無線品質情報を保持している可能性があるが、最新のもののみをハンドオーバの実行判定に使用してもよいし、すべてを使用してもよい。
【００３７】
ハンドオーバの実行判定を実施する条件は、実施の形態１の端末局１と同様に、一定周期ごと、または、特定イベント発生時に実施する。また、ハンドオーバを実行するかどうかの判定方法は、端末局１が使用するものと同様である。
【００３８】
なお、上りデータの負荷が高い場合にはダミーパケットを送信しないような構成とすることも可能である。たとえば、高負荷状態を検出した場合、ＭＡＣ部１４はダミーパケットに対する伝送制御を実行しない。
【００３９】
このように、本実施の形態では、端末局は上りデータの送信状況を考慮することなく一定周期ごとにダミーパケットを送信して上り無線品質情報を収集し、このダミーパケットの送信処理などで収集した上り無線品質情報と、ビーコン受信時に収集した下り無線品質情報と、を利用してハンドオーバを実行するかどうかの判定を行うこととした。これにより、実施の形態１で示した制御手順を採用した場合と同様の効果を得ることができる。また、上りデータを監視する必要がなくなり、制御手順を簡素化できる。
【００４０】
実施の形態４．
つづいて、実施の形態４の端末局によるハンドオーバ制御動作について説明する。実施の形態１〜３の端末局では、ダミーパケットを接続中の基地局（ハンドオーバ元基地局）に対してのみ送信していたが、次に、端末局が、ハンドオーバ先基地局に対してもダミーパケット送信する実施の形態について説明する。なお、本実施の形態の端末局の構成は実施の形態１の端末局（図１参照）と同様である。以下の説明では、上述した実施の形態の端末局と区別するために本実施の形態の端末局を「端末局１ｃ」と記載する。
【００４１】
図７は、実施の形態２の端末局１ｃと基地局との間の通信制御シーケンスの一例を示す図であり、実施の形態１のシーケンスを示した図２と同様に、端末局１ｃが、現在接続中の基地局およびハンドオーバ先基地局からのビーコンを受信可能な場合を示している。この図７を参照しながら、端末局１ｃがハンドオーバを実行し、接続先の基地局を切り替える動作を以下に説明する。なお、実施の形態１の端末局１と同じ動作については詳細な説明を省略する。
【００４２】
本実施の形態の端末局１ｃでは、実施の形態１の端末局１と同様に、ビーコンを受信した場合はＭＡＣ部１４で下り無線品質情報を収集し、ハンドオーバ判定部１６でそれを保持しておく。
【００４３】
また、図７に示したように、端末局１ｃは、上りデータの送信状況を監視し、所定期間にわたって上りデータが送信されない場合、接続中の基地局（ハンドオーバ元基地局）およびハンドオーバ先の候補基地局（ハンドオーバ先基地局）に対してダミーパケットを送信し、ハンドオーバ元基地局との間の上り無線品質情報、およびハンドオーバ先基地局との間の上り無線品質情報を収集する。なお、図７に示した例ではハンドオーバ先基地局が１つの場合を示しているが、ハンドオーバ先基地局が複数存在する場合、すべてに対してダミーパケットを送信する。
【００４４】
そして、端末局１ｃは、実施の形態１の端末局１と同様に、上記収集した上り無線品質情報および下り無線品質情報を利用してハンドオーバの実行判定を行う。また、ハンドオーバ先の候補基地局が複数存在する状態におけるハンドオーバ動作では、各候補基地局との間の上り無線品質情報および下り無線品質情報を利用してハンドオーバ先を選択する。たとえば、上記特許文献２で開示されたハンドオーバ方法におけるハンドオーバ先基地局の選択動作と同様に、各候補基地局からのビーコンの受信電力およびビーコン受信時に取得する上り方向の伝送レート情報に加えて、送信した各ダミーパケットに対するＡＣＫパケットの受信電力やダミーパケットの再送回数、ダミーパケット送信時の伝送レートを比較してハンドオーバ先を決定する。
【００４５】
このように、本実施の形態では、端末局は、所定期間にわたって上りデータを送信しなかった場合、接続中の基地局およびハンドオーバ先の候補基地局に対してダミーパケットを送信して上り無線品質情報を収集し、ハンドオーバを実行するかどうかの判定を上り無線品質情報および下り無線品質情報を利用して行うこととした。また、ハンドオーバ先の候補基地局が複数存在する場合、各候補基地局との間の上り無線品質情報および下り無線品質情報に基づいてハンドオーバ先を選択することとした。これにより、ハンドオーバ実行判定における誤判定確率を低減させ、さらに、複数の候補基地局の中から最適なハンドオーバ先を選択できるようになる。
【００４６】
なお、本実施の形態では、実施の形態１の端末局１と同じ機能を有する端末局１ｃがハンドオーバ先の候補基地局に対してダミーパケットを送信し、各候補基地局との間の上り無線品質情報を収集することとした、すなわち、端末局１に対して新たな機能（候補基地局に対してダミーパケットを送信し、上り無線品質情報を取得する機能）を追加することにより端末局１ｃを実現するようにしたが、実施の形態２または３の端末局（端末局１ａまたは１ｂ）に対して新たな機能を追加することにより端末局１ｃを実現するようにしてもよい。
【００４７】
実施の形態５．
つづいて、実施の形態５のハンドオーバ制御動作について説明する。実施の形態１〜４では、端末局がダミーパケットを送信することにより上り方向の無線品質（上り無線品質情報）を収集し、得られた上り無線品質情報をハンドオーバ実行判定に利用するハンドオーバ制御について説明したが、本実施の形態では、基地局が端末局に対してダミーパケット（下りダミーパケット）を送信することにより下り無線品質情報を収集し、収集した下り無線品質情報を端末局に通知し、端末局は、基地局から通知された下り無線品質情報をハンドオーバ実行判定に利用するハンドオーバ制御について説明する。
【００４８】
図８は、本実施の形態のハンドオーバ制御を実行する基地局の構成例を示す図である。図８に示した基地局２は、アンテナ２１、ＲＦ部２２、ベースバンド部２３、ＭＡＣ部２４、ダミーパケット送受信部２５、ハンドオーバ情報収集部２６および有線Ｉ／Ｆ部２７を備える。
【００４９】
ＲＦ部２２は、アンテナ２１を介して入力された受信信号やベースバンド部２３から入力された信号に対して周波数変換などを行う。ベースバンド部２３は、ＲＦ部２２から入力された受信信号およびＭＡＣ部２４から入力された送信信号に対してベースバンド処理を実行する。ＭＡＣ部２４は、ＭＡＣ層の処理を行う。ダミーパケット送受信部２５は、ダミーパケットの送受信処理を行う。ハンドオーバ情報収集部２６は、ＭＡＣ部２４やダミーパケット送受信部２５から、配下の端末局がハンドオーバの実行判定処理で使用するハンドオーバ情報を収集する。有線Ｉ／Ｆ部２７は、有線ＬＡＮなどの外部ネットワークに接続するためのインタフェイスである。
【００５０】
つづいて、本実施の形態のハンドオーバ制御動作について、図９および図１０を参照しながら説明する。図９は、本実施の形態の端末局と基地局２との間の通信制御シーケンスの一例を示す図である。なお、図９は、端末局が、現在接続中の基地局２（図示したハンドオーバ元基地局）からのビーコンに加え、ハンドオーバ先基地局からのビーコン信号も受信可能な場合の例を示している。また、図１０は、基地局２の各部の動作を説明するための図であり、図８に示した構成図に対して基地局２の特徴的な処理を書き加えたものである。
【００５１】
また、本実施の形態の基地局２に接続する端末局は実施の形態１〜４で示した端末局１〜１ｃのいずれか一つに対して新たな機能（基地局２から通知された通信品質を考慮してハンドオーバの実行判定を行う機能、詳細については後述する）を追加することにより実現する。以下の説明では、本実施の形態の端末局を「端末局１ｄ」と記載する。
【００５２】
図９に示したように、本実施の形態の基地局２は、有線Ｉ／Ｆ部２７に接続された外部ネットワークから配下の移動局１ｄに対して下りデータが送信されたかどうかを監視し、下りデータが送信されない状態が所定期間にわたって続いた場合、ダミーデータ（図９に示した下りダミーパケット）を接続中の端末局１ｄへ送信する。そして、端末局１ｄとの間の下り方向のデータ伝送品質情報を収集する。さらに、収集したデータ伝送品質情報を下りデータ伝送品質通知フレームにて端末局１ｄへ通知する。
【００５３】
この動作を実現するための基地局２の各部の動作を具体的に示すと、ＭＡＣ部２４は下りデータを有線Ｉ／Ｆ部２７から受け取った場合、それを端末局１ｄに送信する処理を実行するとともに、下りデータ送信を行った旨をハンドオーバ情報収集部２６に通知する（図１０に示した動作<51>）。ハンドオーバ情報収集部２６は、下りデータ送信監視周期が経過すると、当該周期が経過する前にＭＡＣ部２４から下りデータを送信した旨の通知を受けたかどうかを確認し、通知を受けた（下りデータが送信された）場合、何も行わずに処理を継続する。一方、通知を受けなかった場合には、ダミーパケットを送信するように、ダミーパケット送受信部２５に対して指示を出す（図１０に示した動作<52>）。下り品質情報収集手段としての機能を有するダミーパケット送受信部２５は、ダミーパケット送受信部２５からダミーパケットの送信指示を受けた場合、ダミーパケットを送信して下り方向のデータ伝送品質情報（以下、下りデータ伝送品質情報と呼ぶ）を収集する。ここで、下りデータ伝送品質情報とは、ダミーパケット送信時に使用した伝送レート、ダミーパケットの再送回数などである。また、ダミーパケットに対するＡＣＫパケットの受信電力を下りデータ伝送品質情報に含めてもよい。なお、ダミーパケットとして送信するパケットの種別は問わない。ただし、ダミーパケット送信時に使用する伝送レートは、端末局１ｄに正常に受信される可能性が最も高いレート、すなわち選択可能な伝送レートの中で最も低い伝送レートとする。最後に、ダミーパケット送受信部２５は、取得した下りデータ伝送品質情報をハンドオーバ情報収集部２６へ渡す（図１０に示した動作<53>）。
【００５４】
なお、基地局２は、下りデータを送信した場合、ダミーパケット送信時と同様に、下りデータ伝送品質情報を収集する。この場合、ＭＡＣ部２４が上り無線品質情報を収集し、それをハンドオーバ情報収集部２６に渡す。
【００５５】
また、基地局２は、図９に示したように、上記ダミーパケットの送信処理や下りデータの送信処理を実行した際に収集した下りデータ伝送品質情報を含んだ下りデータ伝送品質通知フレームを送信することにより、下りデータ伝送品質情報を対応する端末局１ｄへ通知する。この動作は、図１０に示した動作<54>に相当する。すなわち、ハンドオーバ情報収集部２６が情報通知手段としての処理を実行することにより、下りデータ伝送品質情報はＭＡＣ部２４を介して端末局１ｄへ通知される。下りデータ伝送品質情報の通知タイミングは、下りデータ伝送品質情報を取得した直後でもよいし、定期的に通知するようにしてもよい。なお、定期的に通知する場合には、たとえば、下りデータ送信監視周期と同じ周期（間隔）で通知を行う。
【００５６】
一方、本実施の形態の端末局１ｄは、基地局２から上記下りデータ伝送品質情報を受信すると、その情報を保持しておく。また、実施の形態１〜４のいずれか一つで説明した端末局と同じ処理を実行し、上り無線品質情報および下り無線品質情報を収集する。そして、端末局１ｄは、これらの上り無線品質情報および下り無線品質情報に加え、基地局２から受け取った下りデータ伝送品質情報を利用して、ハンドオーバを実行するかどうかの判定（ハンドオーバ実行判定）を行う。なお、ハンドオーバ実行判定処理の実施条件は、上述した実施の形態１〜４のいずれか一つで示した条件とする。
【００５７】
なお、基地局２は、たとえば、ダミーパケットの宛先として、予め規定しておいたアドレスを設定し、端末局１ｄは、ダミーパケットを示す宛先のパケットを受信した場合、受信パケット（＝ダミーパケット）の転送は行わずに廃棄する。
【００５８】
このように、本実施の形態では、基地局は、下りデータを送信した場合、下りデータ伝送品質情報を収集し、また、所定期間にわたって下りデータを送信しなかった場合にはダミーパケットを送信して下りデータ伝送品質情報を収集することとした。そして、ハンドオーバ実行判定で使用する情報として、収集した下りデータ伝送品質情報を端末局へ通知することとした。これにより、端末局でのハンドオーバ実行判定における誤判定確率を低減させることができる。
【００５９】
また、端末局は、上述した実施の形態１〜４のいずれかで示した制御を実行することにより自ら収集した上り無線品質情報および下り無線品質情報に加え、上記基地局から通知された下りデータ伝送品質情報を利用してハンドオーバの実行判定を行うので、実施の形態１〜４（下りデータ伝送品質情報を利用しない場合）と比較して、ハンドオーバ実行判定における誤判定確率をさらに低減させることができる。
【００６０】
実施の形態６．
つづいて、実施の形態６のハンドオーバ制御動作について説明する。実施の形態５の基地局では、下りデータの送信状況を監視し、監視結果に応じてダミーパケットを送信することにしていたが、次に、基地局が、下りデータの有無にかかわらず、一定周期ごとに必ずダミーパケットを送信する実施の形態について説明する。なお、本実施の形態の基地局の構成は実施の形態５の端末局（図８参照）と同様である。以下の説明では、実施の形態５の基地局２と区別するために本実施の形態の基地局を「基地局２ａ」と記載する。また、端末局は実施の形態５で示した端末局１ｄと同様である。そのため、本実施の形態においても端末局１ｄと記載する。
【００６１】
図１１は、実施の形態６の端末局１ｄと基地局２ａとの間の通信制御シーケンスの一例を示す図であり、実施の形態５のシーケンスを示した図９と同様に、端末局１ｄが、現在接続中の基地局（ハンドオーバ元基地局）およびハンドオーバ先基地局からのビーコンを受信可能な場合を示している。また、図１２は、本実施の形態の基地局２ａの各部の動作を説明するための図であり、実施の形態５の説明で用いた図１０と同様に、構成図に対して基地局２ａの特徴的な処理を書き加えたものである。これらの図１１および図１２を参照しながら、本実施の形態のハンドオーバ制御動作について以下に説明する。なお、実施の形態５で示した制御動作と同じ部分については詳細な説明を省略する。
【００６２】
図１１に示したように、本実施の形態の基地局２ａでは、実施の形態５の基地局２とは異なり、ハンドオーバ情報収集部２６がダミーパケット送受信部２５に対して、下りデータの有無に関係なく定期的にダミーパケットの送信指示を行う（図１２に示した動作<61>）。ダミーパケット送受信部２５は、ハンドオーバ情報収集部２６の指示に従いダミーパケットを送信し、下りデータ伝送品質情報を取得するとそれをハンドオーバ情報収集部２６渡す（図１２に示した動作<62>）。そして、ハンドオーバ情報収集部２６は、受け取った下りデータ伝送品質情報を下りデータ伝送品質通知フレームにて端末局１ｄへ通知する（図１２に示した動作<63>）。
【００６３】
端末局１ｄは、実施の形態５でも説明したとおり、上り無線品質情報、下り無線品質情報および下りデータ伝送品質情報を利用して、ハンドオーバ実行判定を行う。
【００６４】
このように、本実施の形態では、基地局は、下りデータの送信状況を考慮することなく一定周期ごとにダミーパケットを送信して下りデータ伝送品質情報を収集し、端末局へ通知することとした。これにより、実施の形態５で示した制御手順を採用した場合と同様の効果を得ることができ、また、下りデータを監視する必要がなくなり、制御手順を簡素化できる。
【００６５】
実施の形態７．
つづいて、実施の形態７のハンドオーバ制御動作について説明する。実施の形態５および６では、端末局に接続中の基地局（ハンドオーバ元基地局）のみがダミーパケットを送信する場合のハンドオーバ制御について説明したが、次に、端末局に接続中の基地局以外の基地局（ハンドオーバ先基地局）もダミーパケット送信する実施の形態について説明する。なお、本実施の形態の基地局の構成は実施の形態５の基地局（図８参照）と同様である。以下の説明では、上述した実施の形態の基地局と区別するために本実施の形態の基地局を「基地局２ｂ」と記載する。また、端末局は実施の形態５で示した端末局１ｄと同様である。そのため、本実施の形態においても端末局１ｄと記載する。
【００６６】
図１３は、実施の形態７の端末局１ｄと基地局２ｂとの間の通信制御シーケンスの一例を示す図であり、実施の形態５のシーケンスを示した図９と同様に、端末局１ｄが、現在接続中の基地局（ハンドオーバ元基地局）およびハンドオーバ先基地局からのビーコンを受信可能な場合を示している。また、図１４は、本実施の形態の基地局２ｂの各部の動作を説明するための図であり、実施の形態５の説明で用いた図１０と同様に、構成図に対して基地局２ｂの特徴的な処理を書き加えたものである。これらの図１３および図１４を参照しながら、本実施の形態のハンドオーバ制御動作について以下に説明する。なお、実施の形態５で示した制御動作と同じ部分については詳細な説明を省略する。
【００６７】
図１３に示したように、本実施の形態の基地局２ｂの中のハンドオーバ元基地局（以下、説明の都合上「基地局２ｂ−１」と記載する）は、実施の形態５の基地局２または実施の形態６の基地局２ａと同様の処理を実行して下りデータ伝送品質情報を収集し、さらに、下りデータ伝送品質通知フレームにて端末局１ｄへ通知する。
【００６８】
一方、基地局２ｂの中のハンドオーバ先基地局（以下、説明の都合上「基地局２ｂ−２」と記載する）は、基地局２ｂ−１と端末局１ｄとの間でデータ（ダミーパケットも含まれる）の送受信が行われたかどうかを監視し、データ送受信を検出した場合、すなわち基地局２ｂ−１が下りデータ伝送品質情報を収集する場合、端末局１ｄへダミーデータを送信し、端末局１ｄとの間の下りデータ伝送品質情報を収集する。
【００６９】
このときの基地局２ｂ−２の各部の動作を具体的に示すと、周辺監視手段としての機能を有するＭＡＣ部２４が基地局２ｂ−１と端末局１ｄとの間のデータ送受信状況を監視し、データの送受信が行われたことを検出した場合、その旨をハンドオーバ情報収集部２６へ通知する（図１４に示した動作<71>）。ハンドオーバ情報収集部２６は、上記通知を受けると、ダミーパケット送受信部２５に対してダミーパケットを端末局１ｄへ送信するように指示を出す（図１４に示した動作<72>）。ダミーパケット送受信部２５は、指示に従いダミーパケットを送信し、端末局１ｄとの間の下りデータ伝送品質情報を収集する。また、収集した情報をハンドオーバ情報収集部２６へ渡す（図１４に示した動作<73>）。ハンドオーバ情報収集部２６は、ダミーパケット送受信部２５から受け取った下りデータ伝送品質情報を下りデータ伝送品質通知パケットに含めて端末局１ｄへ送信する（図１４に示した動作<74>）。
【００７０】
端末局１ｄは、自ら収集した上り無線品質情報および下り無線品質情報と、接続中の基地局２ｂ−１から受け取った下りデータ伝送品質情報とに加え、基地局２ｂ−２から受け取った下りデータ伝送品質情報も利用して、ハンドオーバ実行判定を行う。ハンドオーバの実行判定方法としては、たとえば、基地局２ｂ−１および２ｂ−２からそれぞれ受け取った各下りデータ伝送品質情報に含まれる「下りダミーパケットに対するＡＣＫパケットの基地局側での受信電力情報」（以下、「上りパケット受信電力」と呼ぶ）を比較し、基地局２ｂ−２から受け取った上りパケット受信電力の方が大きい場合にハンドオーバを実行すると判断する。比較を行うにあたってはオフセットを設定してもよい。すなわち、オフセットをαとし、基地局２ｂ−２の上りパケット受信電力が基地局２ｂ−１の上りパケット受信電力よりもα以上大きい場合にハンドオーバを実行すると判断する。
【００７１】
このように、本実施の形態では、端末局と接続していない基地局であって端末局の信号到達範囲内にある基地局（ハンドオーバ先の候補基地局）においても、端末局との間の下りデータ伝送品質情報を収集して端末局へ通知することとした。これにより、端末局でのハンドオーバ実行判定における誤判定確率をさらに低減させることができる。
【産業上の利用可能性】
【００７２】
以上のように、本発明にかかる端末局は、移動体通信システムの移動局に有用であり、特に、ハンドオーバを実行するかどうかの判定を高精度に行い、効率的な無線通信を実現する移動局に適している。
【図面の簡単な説明】
【００７３】
【図１】実施の形態１の端末局の構成例を示す図である。
【図２】実施の形態１の端末局と基地局との間の通信制御シーケンスの一例を示す図である。
【図３】実施の形態１の端末局内部の動作を説明するための図である。
【図４】実施の形態２の端末局と基地局との間の通信制御シーケンスの一例を示す図である。
【図５】実施の形態２の端末局内部の動作を説明するための図である。
【図６】実施の形態３の端末局内部の動作を説明するための図である。
【図７】実施の形態４の端末局と基地局との間の通信制御シーケンスの一例を示す図である。
【図８】実施の形態５の基地局の構成例を示す図である。
【図９】実施の形態５の端末局と基地局との間の通信制御シーケンスの一例を示す図である。
【図１０】実施の形態５の基地局内部の動作を説明するための図である。
【図１１】実施の形態６のハンドオーバ制御を実行する基地局の構成例を示す図である。
【図１２】実施の形態６の基地局内部の動作を説明するための図である。
【図１３】実施の形態７のハンドオーバ制御を実行する基地局の構成例を示す図である。
【図１４】実施の形態７の基地局内部の動作を説明するための図である。
【符号の説明】
【００７４】
１、１ａ、１ｂ、１ｃ、１ｄ  端末局
２、２ａ、２ｂ  基地局
１１、２１  アンテナ
１２、２２  ＲＦ部
１３、２３  ベースバンド部
１４、２４  ＭＡＣ部
１５、２５  ダミーパケット送受信部
１６  ハンドオーバ判定部
１７、２７  有線Ｉ／Ｆ部
２６  ハンドオーバ情報収集部
【図１】
2009260635.tif 000003
【図２】
2009260635.tif 000004
【図３】
2009260635.tif 000005
【図４】
2009260635.tif 000006
【図５】
2009260635.tif 000007
【図６】
2009260635.tif 000008
【図７】
2009260635.tif 000009
【図８】
2009260635.tif 000010
【図９】
2009260635.tif 000011
【図１０】
2009260635.tif 000012
【図１１】
2009260635.tif 000013
【図１２】
2009260635.tif 000014
【図１３】
2009260635.tif 000015
【図１４】
2009260635.tif 000016